(57)【要約】【課題】カメラボディのサイズを大型化せず、且つコストを上げることなく、冷却装置を取り付けることによって、必要なときに冷却効果を増し、撮影枚数も減少することのない電子カメラを提供することである。【解決手段】バッテリホルダ７０がカメラボディ１０に装着された状態にて、カメラボディ１０の上部に設けられた空気吸入口２４から吸気された空気が送風ダクト２１を通って可動撮像ユニット１１に導かれる。そして、この可動撮像ユニット１１及びその周辺の熱せられた空気が、送風ダクト２２から排気口２６、そしてバッテリホルダ７０内の吸気口８１から送風ダクト８０を通り、ファン８４によって強制的に排気口８２より排気される。【選択図】      図４
2009071516.tif 000002
【特許請求の範囲】
【請求項１】
撮影レンズと、
該撮影レンズの光軸上に該光軸と直交するように配設されて上記撮影レンズによる被写体像が結像される撮像素子と、
該撮像素子の背面に固着された放熱板と、
上記撮像素子に対する撮像制御用素子を搭載して上記放熱板の背面側に近接配設された回路基板と、
電池収納室と、
カメラ本体に配設された第１の空気吸入口と、
第１の排気口と、
該第１の排気口より空気を排出する放熱装置を取り付けるための取付部と、
を具備したことを特徴とする電子カメラ。
【請求項２】
上記放熱装置は、上記第１の排気口と連接する第２の空気吸入口と、第２の排気口と、上記第２の空気吸入口と上記第２の排気口を接続する第１の送風ダクトと、該第１の送風ダクト内に配置されてカメラ本体内部の空気を上記第１の送風ダクトを通して排出するための送風ファンと、を有することを特徴とする請求項１に記載の電子カメラ。
【請求項３】
上記第１の空気吸入口と上記撮像素子の近傍部との間に配設された第２の送風ダクトと、上記第１の排気口と上記撮像素子の近傍部との間に配設された第３の送風ダクトを更に具備することを特徴とする請求項１に記載の電子カメラ。
【請求項４】
上記第１の空気吸入口は、上記撮像素子、放熱板及び回路基板より上方に位置することを特徴とする請求項１に記載の電子カメラ。
【請求項５】
上記第１の排気口は、上記撮像素子、放熱板及び回路基板より下方に位置することを特徴とする請求項１に記載の電子カメラ。
【請求項６】
上記第１の排気口は、上記カメラ本体の底部に設けられたことを特徴とする請求項５に記載の電子カメラ。
【請求項７】
上記第１の排気口は、上記電池収納室に設けられたことを特徴とする請求項１に記載の電子カメラ。
【請求項８】
上記放熱装置は、電子カメラに電源を供給するための電源部を備えることを特徴とする請求項１若しくは２に記載の電子カメラ。
【請求項９】
上記放熱装置は、上記カメラ本体に位置決めされて着脱自在に装着可能であることを特徴とする請求項１に記載の電子カメラ。
【請求項１０】
上記撮像素子と上記放熱板と上記回路基板は、一体で可動する撮像ユニットを形成することを特徴とする請求項１に記載の電子カメラ。
【請求項１１】
上記取付部は三脚取付け用のネジ穴であり、上記放熱装置は該ネジ穴に螺合するネジを有していることを特徴とする請求項１に記載の電子カメラ。
【請求項１２】
カメラ本体と、
撮影レンズの光軸上で、その撮像面が該光軸と垂直な面となるように上記カメラ本体内に配設されて上記撮影レンズによる被写体像が結像される撮像素子と、
上記撮像素子及び少なくとも該撮像素子の撮像制御用素子を搭載した回路基板と、
少なくとも上記撮像素子及び回路基板に電源を供給するための電池が挿入されるべく設けられた電池室と、
上記カメラ本体に配設された第１の空気吸入口と、
上記第１の空気吸入口より吸入された空気を排出する第１の排気口と、
上記第１の排気口より空気を排出する放熱装置と、
上記放熱装置を上記カメラ本体に固定するための取付部と、
を具備したことを特徴とする電子カメラ。
【請求項１３】
上記放熱装置は、上記第１の排気口と連接する第２の空気吸入口と、上記第２の空気吸入口より吸入された空気を排出する第２の排気口と、上記第２の空気吸入口と上記第２の排気口を接続する第１の送風ダクトと、該第１の送風ダクト内に配置されて上記カメラ本体内の空気を上記第１の送風ダクトを通して排出するための送風ファンと、を有することを特徴とする請求項１２に記載の電子カメラ。
【請求項１４】
上記第１の空気吸入口と上記撮像素子及び回路基板に近接した第１の近傍部との間に配設された第２の送風ダクトと、上記第１の排気口と上記撮像素子及び回路基板に近接した第２の近傍部との間に配設された第３の送風ダクトを更に具備することを特徴とする請求項１２若しくは１３に記載の電子カメラ。
【請求項１５】
上記第１の近傍部と上記第２の近傍部は、上記撮像素子及び回路基板を挟んで対向する位置に配置されることを特徴とする請求項１４に記載の電子カメラ。
【請求項１６】
上記第１の空気吸入口は、少なくとも上記撮像素子及び回路基板よりも上方に位置することを特徴とする請求項１２若しくは１３に記載の電子カメラ。
【請求項１７】
上記第１の排気口は、少なくとも上記撮像素子及び回路基板よりも下方に位置することを特徴とする請求項１２若しくは１３に記載の電子カメラ。
【請求項１８】
上記第１の排気口は、上記カメラ本体の底部に設けられたことを特徴とする請求項１７に記載の電子カメラ。
【請求項１９】
上記第１の排気口は、上記電池収納室に設けられたことを特徴とする請求項１２若しくは１３に記載の電子カメラ。
【請求項２０】
上記放熱装置は、上記電池を少なくとも１つ装填可能な電池収納室を有することを特徴とする請求項１２若しくは１３に記載の電子カメラ。
【請求項２１】
上記放熱装置は、少なくとも上記取り付け部によって上記カメラ本体に位置決めされて着脱自在に装着可能であることを特徴とする請求項１２若しくは１３に記載の電子カメラ。
【請求項２２】
少なくとも上記撮像素子と上記回路基板は一体的に構成されて、上記光軸と垂直な面方向に可動する撮像ユニットを形成することを特徴とする請求項１２若しくは１３に記載の電子カメラ。
【請求項２３】
上記送風ファンは、上記第１の送風ダクト内で上記第２の排気口の近傍に配置されることを特徴とする請求項１３に記載の電子カメラ。
【請求項２４】
上記送風ファンは、上記第１の送風ダクト内で上記第２の空気吸入口の近傍に配置されることを特徴とする請求項１３に記載の電子カメラ。
【請求項２５】
上記取付部は三脚取付け用のネジ穴であり、上記放熱装置は該ネジ穴に螺合するネジを有していることを特徴とする請求項１２若しくは１３に記載の電子カメラ。
【請求項２６】
カメラ本体と、
撮影レンズの光軸上で、その撮像面が該光軸と垂直な面となるように上記カメラ本体内に配設されて上記撮影レンズによる被写体像が結像される撮像素子と、
上記撮像素子及び少なくとも該撮像素子の撮像制御用素子を搭載した回路基板と、
少なくとも上記撮像素子及び回路基板に電源を供給するための電池が挿入されるべく設けられた電池室と、
上記カメラ本体に配設された第１の空気吸入口と、
上記カメラ本体に配設されるもので、上記第１の空気吸入口より吸入された空気を排出する第１の排気口と、
少なくとも一部が上記電池室内に挿入されて上記第１の排気口より空気を排出する放熱装置と、
上記放熱装置を上記カメラ本体に固定するための取付部と、
を具備したことを特徴とする電子カメラ。
【請求項２７】
上記放熱装置は、上記第１の排気口と連接する第２の空気吸入口と、上記第２の空気吸入口より吸入された空気を排出する第２の排気口と、上記第２の空気吸入口と上記第２の排気口を接続する第１の送風ダクトと、該第１の送風ダクト内に配置されて上記カメラ本体内の空気を上記第１の送風ダクトを通して排出するための送風ファンと、を有することを特徴とする請求項２６に記載の電子カメラ。
【請求項２８】
上記第１の空気吸入口と上記撮像素子及び回路基板に近接した第１の近傍部との間に配設された第２の送風ダクトと、上記第１の排気口と上記撮像素子及び回路基板に近接した第２の近傍部との間に配設された第３の送風ダクトを更に具備することを特徴とする請求項２６若しくは２７に記載の電子カメラ。
【請求項２９】
上記第１の近傍部と上記第２の近傍部は、上記撮像素子及び回路基板を挟んで対向する位置に配置されることを特徴とする請求項２８に記載の電子カメラ。
【請求項３０】
上記第１の空気吸入口は、少なくとも上記撮像素子及び回路基板よりも上方に位置することを特徴とする請求項２６若しくは２７に記載の電子カメラ。
【請求項３１】
上記第１の排気口は、少なくとも上記撮像素子及び回路基板よりも下方に位置することを特徴とする請求項２６若しくは２７に記載の電子カメラ。
【請求項３２】
上記第１の排気口は、上記カメラ本体の底部に設けられたことを特徴とする請求項３１に記載の電子カメラ。
【請求項３３】
上記第１の排気口は、上記電池収納室に設けられたことを特徴とする請求項２６若しくは２７に記載の電子カメラ。
【請求項３４】
上記放熱装置は、上記電池を少なくとも１つ装填可能な電池収納室を有することを特徴とする請求項２６若しくは２７に記載の電子カメラ。
【請求項３５】
上記放熱装置は、少なくとも上記取り付け部によって上記カメラ本体に位置決めされて着脱自在に装着可能であることを特徴とする請求項２６若しくは２７に記載の電子カメラ。
【請求項３６】
少なくとも上記撮像素子と上記回路基板は一体的に構成されて、上記光軸と垂直な面方向に可動する撮像ユニットを形成することを特徴とする請求項２６若しくは２７に記載の電子カメラ。
【請求項３７】
上記送風ファンは、上記第１の送風ダクト内で上記第２の排気口の近傍に配置されることを特徴とする請求項２７に記載の電子カメラ。
【請求項３８】
上記送風ファンは、上記第１の送風ダクト内で上記第２の空気吸入口の近傍に配置されることを特徴とする請求項２７に記載の電子カメラ。
【請求項３９】
上記取付部は三脚取付け用のネジ穴であり、上記放熱装置は該ネジ穴に螺合するネジを有していることを特徴とする請求項２６若しくは２７に記載の電子カメラ。
【発明の詳細な説明】
【技術分野】
【０００１】
本発明は電子カメラに関し、より詳細には、カメラボディに設けられて発熱した部品の放熱を行う電子カメラに関するものである。
【背景技術】
【０００２】
ＣＣＤ等の撮像素子を備えるデジタルカメラ等の電子カメラは、撮影レンズの透過光束を撮像素子で受光し、その光電変換出力に基づいて画像データを得る。撮像素子は、この撮像素子を駆動するためのタイミングジェネレータ素子や、撮像素子が取得した画像データについてサンプリング処理、Ａ／Ｄ変換処理、ＡＧＣ処理等を行うＡＦＥ（Ａｎａｌｏｇ  Ｆｒｏｎｔ  Ｅｎｄ）素子等の撮像制御用１Ｃを搭載した駆動回路基板によって撮像動作が制御される。
【０００３】
この際、駆動回路基板は、撮像素子に対して離れた位置に配設すると、電気的なノイズの影響を受けやすいため、撮像素子に対して近接させて配設することが望まれる。
【０００４】
一方、駆動回路基板に搭載されたタイミングジェネレータ素子やＡＦＥ素子等のＩＣは、その連続的な動作に伴い発熱する発熱源となり、周囲温度を上昇させる。特に、近年では、撮像素子の画素数の増大に伴って動作クロックが上昇し、駆動回路基板に於ける発熱量が増大する傾向にある。よって、撮像素子は、このような駆動回路基板が近接配設されていると、駆動回路基板を発熱源とする熱ノイズの影響を受けて画質の低下を生ずるため、駆動回路基板を冷却する対策が必要となる。
【０００５】
ここで、電子カメラ本体ケース内に存在するＣＣＤ等の撮像素子やＩＣ等の発熱部品、及びそれら発熱部品が実装された基板の冷却方法として、本体ケースに吸気孔と排気孔及び空気排出用のファンを設けて、上記本体ケース内の温まった空気を強制的に排出することで冷却する技術は周知である（例えば、下記特許文献１参照）。
【０００６】
また、撮像素子から発生される熱を、ヒートパイプ等を含む熱伝達手段で熱伝導率の高い金属等で形成された電池ケースに伝熱し、その電池ケースを冷却する為の冷却装置が取り付け可能な電子カメラと、上記冷却装置は冷却の為に空気を送る送風ファンと電子カメラに電源を供給する為の電源部を有し、電子カメラに着脱自在に装着できるよう構成される技術は周知である（例えば、下記特許文献２参照）。
【特許文献１】特開平１０−２８５４４１号公報
【特許文献２】特開２００３−４６８２８号公報
【発明の開示】
【発明が解決しようとする課題】
【０００７】
しかしながら、上述した特許文献１のように、カメラ内にファンを装備すると、その収容スペースを多く必要とし、カメラの小型化の妨げになってしまう。
【０００８】
また、持ち運び可能な電子カメラに適用した場合、カメラ内にファンを装備すると、ファン駆動にカメラ本体内の電源の電力を使用する為、電力の消費が早く、撮影可能時間や撮影可能枚数が減少してしまうという問題が生じる可能性がある。
【０００９】
更に、上記特許文献１に記載の発明では、カメラ本体ケース内全体の空気を排出するよう構成されている為、空気排出用ファンは大型のものを使用する必要がある。
【００１０】
加えて、撮像素子を本体内に固定された熱伝達部材に固定して放熱する場合、撮像素子シフト方式のぶれ軽減機構には使用できないものであった。
【００１１】
本発明は、上記実情に鑑みてなされたものであり、その目的は、カメラボディのサイズを大型化せず、且つコストを上げることなく、冷却装置を取り付けることによって、必要なときに冷却効果を増し、撮影枚数も減少することのない電子カメラを提供することである。
【課題を解決するための手段】
【００１２】
すなわち請求項１に記載の発明は、撮影レンズと、該撮影レンズの光軸上に該光軸と直交するように配設されて上記撮影レンズによる被写体像が結像される撮像素子と、該撮像素子の背面に固着された放熱板と、上記撮像素子に対する撮像制御用素子を搭載して上記放熱板の背面側に近接配設された回路基板と、電池収納室と、カメラ本体に配設された第１の空気吸入口と、第１の排気口と、該第１の排気口より空気を排出する放熱装置を取り付けるための取付部と、を具備したことを特徴とする。
【００１３】
請求項２に記載の発明は、請求項１に記載の発明に於いて、上記放熱装置は、上記第１の排気口と連接する第２の空気吸入口と、第２の排気口と、上記第２の空気吸入口と上記第２の排気口を接続する第１の送風ダクトと、該第１の送風ダクト内に配置されてカメラ本体内部の空気を上記第１の送風ダクトを通して排出するための送風ファンと、を有することを特徴とする。
【００１４】
請求項３に記載の発明は、請求項１に記載の発明に於いて、上記第１の空気吸入口と上記撮像素子の近傍部との間に配設された第２の送風ダクトと、上記第１の排気口と上記撮像素子の近傍部との間に配設された第３の送風ダクトを更に具備することを特徴とする。
【００１５】
請求項４に記載の発明は、請求項１に記載の発明に於いて、上記第１の空気吸入口は、上記撮像素子、放熱板及び回路基板より上方に位置することを特徴とする。
【００１６】
請求項５に記載の発明は、請求項１に記載の発明に於いて、上記第１の排気口は、上記撮像素子、放熱板及び回路基板より下方に位置することを特徴とする。
【００１７】
請求項６に記載の発明は、請求項５に記載の発明に於いて、上記第１の排気口は、上記カメラ本体の底部に設けられたことを特徴とする。
【００１８】
請求項７に記載の発明は、請求項１に記載の発明に於いて、上記第１の排気口は、上記電池収納室に設けられたことを特徴とする。
【００１９】
請求項８に記載の発明は、請求項１若しくは２に記載の発明に於いて、上記放熱装置は、電子カメラに電源を供給するための電源部を備えることを特徴とする。
【００２０】
請求項９に記載の発明は、請求項１に記載の発明に於いて、上記放熱装置は、上記カメラ本体に位置決めされて着脱自在に装着可能であることを特徴とする。
【００２１】
請求項１０に記載の発明は、請求項１に記載の発明に於いて、上記撮像素子と上記放熱板と上記回路基板は、一体で可動する撮像ユニットを形成することを特徴とする。
【００２２】
請求項１１に記載の発明は、請求項１に記載の発明に於いて、上記取付部は三脚取付け用のネジ穴であり、上記放熱装置は該ネジ穴に螺合するネジを有していることを特徴とする。
【００２３】
請求項１２に記載の発明は、カメラ本体と、撮影レンズの光軸上で、その撮像面が該光軸と垂直な面となるように上記カメラ本体内に配設されて上記撮影レンズによる被写体像が結像される撮像素子と、上記撮像素子及び少なくとも該撮像素子の撮像制御用素子を搭載した回路基板と、少なくとも上記撮像素子及び回路基板に電源を供給するための電池が挿入されるべく設けられた電池室と、上記カメラ本体に配設された第１の空気吸入口と、上記第１の空気吸入口より吸入された空気を排出する第１の排気口と、上記第１の排気口より空気を排出する放熱装置と、上記放熱装置を上記カメラ本体に固定するための取付部と、を具備したことを特徴とする。
【００２４】
請求項１３に記載の発明は、請求項１２に記載の発明に於いて、上記放熱装置は、上記第１の排気口と連接する第２の空気吸入口と、上記第２の空気吸入口より吸入された空気を排出する第２の排気口と、上記第２の空気吸入口と上記第２の排気口を接続する第１の送風ダクトと、該第１の送風ダクト内に配置されて上記カメラ本体内の空気を上記第１の送風ダクトを通して排出するための送風ファンと、を有することを特徴とする。
【００２５】
請求項１４に記載の発明は、請求項１２若しくは１３に記載の発明に於いて、上記第１の空気吸入口と上記撮像素子及び回路基板に近接した第１の近傍部との間に配設された第２の送風ダクトと、上記第１の排気口と上記撮像素子及び回路基板に近接した第２の近傍部との間に配設された第３の送風ダクトを更に具備することを特徴とする。
【００２６】
請求項１５に記載の発明は、請求項１４に記載の発明に於いて、上記第１の近傍部と上記第２の近傍部は、上記撮像素子及び回路基板を挟んで対向する位置に配置されることを特徴とする。
【００２７】
請求項１６に記載の発明は、請求項１２若しくは１３に記載の発明に於いて、上記第１の空気吸入口は、少なくとも上記撮像素子及び回路基板よりも上方に位置することを特徴とする。
【００２８】
請求項１７に記載の発明は、請求項１２若しくは１３に記載の発明に於いて、上記第１の排気口は、少なくとも上記撮像素子及び回路基板よりも下方に位置することを特徴とする。
【００２９】
請求項１８に記載の発明は、請求項１７に記載の発明に於いて、上記第１の排気口は、上記カメラ本体の底部に設けられたことを特徴とする。
【００３０】
請求項１９に記載の発明は、請求項１２若しくは１３に記載の発明に於いて、上記第１の排気口は、上記電池収納室に設けられたことを特徴とする。
【００３１】
請求項２０に記載の発明は、請求項１２若しくは１３に記載の発明に於いて、上記放熱装置は、上記電池を少なくとも１つ装填可能な電池収納室を有することを特徴とする。
【００３２】
請求項２１に記載の発明は、請求項１２若しくは１３に記載の発明に於いて、上記放熱装置は、少なくとも上記取り付け部によって上記カメラ本体に位置決めされて着脱自在に装着可能であることを特徴とする。
【００３３】
請求項２２に記載の発明は、請求項１２若しくは１３に記載の発明に於いて、少なくとも上記撮像素子と上記回路基板は一体的に構成されて、上記光軸と垂直な面方向に可動する撮像ユニットを形成することを特徴とする。
【００３４】
請求項２３に記載の発明は、請求項１３に記載の発明に於いて、上記送風ファンは、上記第１の送風ダクト内で上記第２の排気口の近傍に配置されることを特徴とする。
【００３５】
請求項２４に記載の発明は、請求項１３に記載の発明に於いて、上記送風ファンは、上記第１の送風ダクト内で上記第２の空気吸入口の近傍に配置されることを特徴とする。
【００３６】
請求項２５に記載の発明は、請求項１２若しくは１３に記載の発明に於いて、上記取付部は三脚取付け用のネジ穴であり、上記放熱装置は該ネジ穴に螺合するネジを有していることを特徴とする。
【００３７】
請求項２６に記載の発明は、カメラ本体と、撮影レンズの光軸上で、その撮像面が該光軸と垂直な面となるように上記カメラ本体内に配設されて上記撮影レンズによる被写体像が結像される撮像素子と、上記撮像素子及び少なくとも該撮像素子の撮像制御用素子を搭載した回路基板と、少なくとも上記撮像素子及び回路基板に電源を供給するための電池が挿入されるべく設けられた電池室と、上記カメラ本体に配設された第１の空気吸入口と、上記カメラ本体に配設されるもので、上記第１の空気吸入口より吸入された空気を排出する第１の排気口と、少なくとも一部が上記電池室内に挿入されて上記第１の排気口より空気を排出する放熱装置と、上記放熱装置を上記カメラ本体に固定するための取付部と、を具備したことを特徴とする。
【００３８】
請求項２７に記載の発明は、請求項２６に記載の発明に於いて、上記放熱装置は、上記第１の排気口と連接する第２の空気吸入口と、上記第２の空気吸入口より吸入された空気を排出する第２の排気口と、上記第２の空気吸入口と上記第２の排気口を接続する第１の送風ダクトと、該第１の送風ダクト内に配置されて上記カメラ本体内の空気を上記第１の送風ダクトを通して排出するための送風ファンと、を有することを特徴とする。
【００３９】
請求項２８に記載の発明は、請求項２６若しくは２７に記載の発明に於いて、上記第１の空気吸入口と上記撮像素子及び回路基板に近接した第１の近傍部との間に配設された第２の送風ダクトと、上記第１の排気口と上記撮像素子及び回路基板に近接した第２の近傍部との間に配設された第３の送風ダクトを更に具備することを特徴とする。
【００４０】
請求項２９に記載の発明は、請求項２８に記載の発明に於いて、上記第１の近傍部と上記第２の近傍部は、上記撮像素子及び回路基板を挟んで対向する位置に配置されることを特徴とする。
【００４１】
請求項３０に記載の発明は、請求項２６若しくは２７に記載の発明に於いて、上記第１の空気吸入口は、少なくとも上記撮像素子及び回路基板よりも上方に位置することを特徴とする。
【００４２】
請求項３１に記載の発明は、請求項２６若しくは２７に記載の発明に於いて、上記第１の排気口は、少なくとも上記撮像素子及び回路基板よりも下方に位置することを特徴とする。
【００４３】
請求項３２に記載の発明は、請求項３１に記載の発明に於いて、上記第１の排気口は、上記カメラ本体の底部に設けられたことを特徴とする。
【００４４】
請求項３３に記載の発明は、請求項２６若しくは２７に記載の発明に於いて、上記第１の排気口は、上記電池収納室に設けられたことを特徴とする。
【００４５】
請求項３４に記載の発明は、請求項２６若しくは２７に記載の発明に於いて、上記放熱装置は、上記電池を少なくとも１つ装填可能な電池収納室を有することを特徴とする。
【００４６】
請求項３５に記載の発明は、請求項２６若しくは２７に記載の発明に於いて、上記放熱装置は、少なくとも上記取り付け部によって上記カメラ本体に位置決めされて着脱自在に装着可能であることを特徴とする。
【００４７】
請求項３６に記載の発明は、請求項２６若しくは２７に記載の発明に於いて、少なくとも上記撮像素子と上記回路基板は一体的に構成されて、上記光軸と垂直な面方向に可動する撮像ユニットを形成することを特徴とする。
【００４８】
請求項３７に記載の発明は、請求項２７に記載の発明に於いて、上記送風ファンは、上記第１の送風ダクト内で上記第２の排気口の近傍に配置されることを特徴とする。
【００４９】
請求項３８に記載の発明は、請求項２７に記載の発明に於いて、上記送風ファンは、上記第１の送風ダクト内で上記第２の空気吸入口の近傍に配置されることを特徴とする。
【００５０】
請求項３９に記載の発明は、請求項２６若しくは２７に記載の発明に於いて、上記取付部は三脚取付け用のネジ穴であり、上記放熱装置は該ネジ穴に螺合するネジを有していることを特徴とする。
【発明の効果】
【００５１】
本発明によれば、カメラボディのサイズを大型化せず、且つコストを上げることなく、冷却装置を取り付けることによって、必要なときに冷却効果を増し、撮影枚数も減少することのない電子カメラを提供することができる。
【発明を実施するための最良の形態】
【００５２】
以下、図面を参照して本発明の実施形態を説明する。
【００５３】
（第１の実施形態）
図１乃至図７は本発明の第１の実施形態を示すもので、図１（ａ）は本発明の第１の実施形態による電子カメラシステムに於いて、交換レンズを外した状態のカメラボディを前面側から見たもので、光軸に対し垂直面で切断して示した図、（ｂ）は（ａ）のＡ−Ａ′線に沿った断面図、図２は図１の電子カメラシステムのカメラボディにバッテリホルダを装着した状態で前面側から見た外観図、図３は図２の電子カメラシステムをカメラ上面側から見たもので、光軸を含む水平面で切断して示した断面図、図４（ａ）は図２の状態の電子カメラシステムをカメラ前面側から見たもので、光軸に対し垂直面で切断して示した断面図、（ｂ）は（ａ）のＢ−Ｂ′線に沿った断面図、図５は第１の実施形態による電子カメラシステムの主に電気的な構成を概略的に示すブロック構成図、図６は第１の実施形態による電子カメラシステムの主にライブビュー動作を説明するためのフローチャート、図７はファンの動作を説明するためのグラフである。
【００５４】
本第１の実施形態の電子カメラシステムは、一例としてレンズ交換可能な一眼レフレックスカメラに適用された例として説明する。
【００５５】
先ず、本実施形態に於ける電子カメラシステムの機構系の概略について説明する。
【００５６】
本実施形態の一眼レフレックスカメラは、カメラボディ１０と、このカメラボディ１０の前面側略中央に交換自在に装填されることにより搭載される交換レンズ（図５参照）とにより構成される。
【００５７】
このカメラボディ１０内の背面側の略中央部で光軸上となる位置には、図示されないアクチュエータ等によって、光軸と垂直な面に移動可能な可動撮像ユニット１１が設けられている。この可動撮像ユニット１１は、撮像素子１２と、この撮像素子１２が搭載された放熱板（基準板）１３と、撮像素子１２の前面側に配設されたローパスフィルタ１４と、ローパスフィルタ１４を保持するホルダ部材１５と、撮像素子１２の脚部（ピン）及び発熱素子１８が装着された回路基板１７とを有して構成される。ここで、撮像素子１２に対して回路基板１７上に実装されている撮像制御用素子等の回路部品が主な発熱源となるものであり、本実施形態に於いては発熱素子１８として表している。
【００５８】
上記撮像素子１２は、交換レンズにより撮像面に結像された被写体像を光電変換するもので、矩形形状をなしている。尚、本実施形態では、例えばＣＣＤイメージセンサが用いられているが、これに限られず、ＣＭＯＳイメージセンサ等であってもよい。また、放熱板１３は、放熱性のよい金属、或いは熱伝導生の良い樹脂等で、撮像素子１２よりも大きめに形成されて、撮像素子１２の背面側に接触させてホルダ部材１５に固定されることで、撮像素子固定板を兼用する。
【００５９】
本カメラボディ１０に於いて、上記可動撮像ユニット１１の上下方向には、送風ダクト２１及び２２が配設されている。送風ダクト２１の一端部２１ａは、可動撮像ユニット１１に近接して配置されており、他端部２１ｂはカメラボディ１０の外表面に設けられた空気吸入口２４に接続されている。また、この送風ダクト２１の他端部２１ｂには、カメラボディ１０の外部よりカメラ内に粉塵等の侵入を防止するためのエアフィルタ２５が設けられている。
【００６０】
また、送風ダクト２２の一端部２２ａは、可動撮像ユニット１１に近接して配置されており、他端部２２ｂはカメラボディ１０の外表面に設けられた排気口２６に接続されている。この送風ダクト２２の他端部２２ｂには、後述するバッテリホルダが未装着の場合に、カメラボディ１０の外部よりカメラ内に粉塵等の侵入を防止するためのスライドカバー２７が設けられている。
【００６１】
尚、送風ダクト２１の一端部２１ａと送風ダクト２２の一端部２２ａは、例えば、その開口部分の長手方向の長さが、少なくとも撮像素子１２の長手方向の長さよりも長く形成されている。そして、上記送風ダクト２１の一端部２１ａと送風ダクト２２の一端部２２ａは、該可動撮像ユニット１１とは所定の間隔を置いて配置されている。これは、可動撮像ユニット１１が、後述する防振機構１２６によって光軸と垂直な面方向に移動可能であるので、該可動撮像ユニット１１が移動したときに、送風ダクト２１の一端部２１ａ、送風ダクト２２の一端部２２ａと接触しないようにするためである。
【００６２】
また、上記空気吸入口２４及び排気口２６は、例えば断面が円形状に形成されている。更に、空気吸入口２４及び排気口２６は、複数個のスリット状のものが形成されるものであっても良い。
【００６３】
上記送風ダクト２１の一端部２１ａと送風ダクト２２の一端部２２ａは、カメラボディ１０の上下方向に於いては、可動撮像ユニット１１を挟んで略中央位置に形成されている。つまり、送風ダクト２１の一端部２１ａは、可動撮像ユニット１１とファインダ光学系３１との間に配置され、送風ダクト２２の一端部２２ａは、可動撮像ユニット１１と図示されない三脚の取付けに使用される三脚用ネジ穴３２との間に配置されている。尚、ファインダ光学系３１の上方でカメラボディ１１０の外表面には、外付けのストロボ装置を装着可能とするホットシュー３３が設けられている。
【００６４】
そして、後述するバッテリホルダ７０の未装着時には、図１（ａ）に於いてカメラボディ１０内の左側部に設けられた電池室３５内には、電池３７が装填される。
【００６５】
このバッテリホルダ７０未装着の状態では、可動撮像ユニット１１で発生した熱は送風ダクト２１を通って空気吸入口２４より排気される流路が形成されるように設定されている。  図３に示されるように、電池室３５の前方側のグリップ部内には、内蔵するストロボ装置６０（図１（ｂ）参照）を閃光発光させるための充電用コンデンサ３８が配置されている。上記グリップ部は、撮影時等に於いてユーザの右手により保持されるよう、適宜突出させたグリップ形状に形成されて保持領域となる部分である。このグリップ部の頂部には、該グリップ部を保持した状態でユーザの指先で操作されるシャッタ釦６１やモード切り替えダイヤル（図示せず）等を備えている。
【００６６】
また、電池室３５の後方側には、上述した可動撮像ユニット１１に接続された回路基板４０が配設されると共に、記録用のメモリカード４１が着脱自在に装填されている。このメモリカード４１は、開閉自在なカバー４２の開閉により挿脱が可能になっている。
【００６７】
上記可動撮像ユニット１１の後方側で、光軸上の位置には液晶モニタ４５及び表示用窓４６を備えている。上記液晶モニタ４５は、撮影された画像の他、各種設定・調整事項等を表示するＴＦＴ（Ｔｈｉｎ  Ｆｉｌｍ  Ｔｒａｎｓｉｓｔｏｒ）タイプのモニタであり、背面側面積の半分程度を占める大型の矩形状表示パネルである。表示用窓４６は、この液晶モニタ４５の保護用のもので、カメラボディ１０の外表面に組み込まれている。
【００６８】
一方、カメラボディ１０の前面側の略中央部には、後述する交換レンズを装着するためのマウント部４８が設けられている。そして、このマウント部４８の中央に形成された開口５０より、被写体光が導かれる。
【００６９】
開口５０を介して入射された被写体光は、図１（ｂ）に示されるように、一部が透過されたクイックリターンミラー５１で上方に反射され、更にファインダ光学系３１を介してアイピース５３からユーザの眼（図示せず）に導かれる。一方、上記クイックリターンミラー５１の透過部分を透過した光は、測距用光としてサブミラー５２で下方に反射されて、オートフォーカス（ＡＦ）装置５４内のＡＦセンサ５５に至る。このＡＦセンサ５５によって、図示されない被写体までの距離が測定される。
【００７０】
また、上記クイックリターンミラー５１及びサブミラー５２と可動撮像ユニット１１（撮像素子１２）との間には、後述するフォーカルプレーンシャッタ５７が配置されている。
【００７１】
一方、図２に示されるように、カメラボディ１０の下部に装着されるバッテリホルダ７０には、カメラボディ１０の底面部と相対する面で、上記三脚用ネジ穴３２と相対する位置に三脚ネジ７１が設けられている。また、図４（ａ）に示されるように、バッテリホルダ７０側で、カメラボディ１０の電池室３５の下部に設けられた位置決め部６３と、排気口２６の近傍に設けられた位置決め部６４と対応する位置に、位置決め突起７２と、位置決めピン７３が形成されている。位置決め突起７２は、電池室挿入部３６の根本近傍に設けられている。また、位置決めピン７３は、バッテリホルダ７０のカメラボディ１０と相対する位置に形成されている。これら位置決め部６３と位置決め突起７２、位置決め部６４と位置決めピン７３、そして三脚用ネジ穴３２と三脚ネジ７１が螺合することにより、カメラボディ１０とバッテリホルダ７０が固定される。
【００７２】
上記バッテリホルダ７０の下部には、このバッテリホルダ７０がカメラボディ１０に装着された状態で縦位置に構えられた際に、この電子カメラシステムを把持するためのグリップ部が形成されている。そして、図２に於いてこのグリップ部の左側には、該グリップ部を保持した状態でユーザの指先で操作されるシャッタ釦７７やモード切り替えダイヤル７８等を備えている。
【００７３】
バッテリホルダ７０内の電池収納室７５には、複数、この場合２つの電池７６、７６が装填可能である。この電池７６、７６は上述した電池３７に相当するものである。そして、このバッテリホルダ７０内で、電池収納室７５の上側には、カメラボディ１０内の送風ダクト２２と連接する送風ダクト８０が設けられている。
【００７４】
この送風ダクト８０は、その一端部８０ａが、上記送風ダクト２２の排気口２６と相対する位置に設けられた吸気口８１に接続され、他端部８０ｂが、バッテリホルダ７０の側面に設けられた排気口８２に接続されている。上記吸気口８１は、排気口２６から排出される空気がバッテリホルダ７０内に漏れないようにするため、排気口２６と略同一形状の断面を有するように構成されている。また、上記排気口８２の近傍には、外部からの粉塵等の侵入を防止するためのエアフィルタ８３が設けられている。更に、送風ダクト８０内で、エアフィルタ８３の内側には、送風ダクト８０内の空気を排気口８２より強制的に排出するためのファン８４が設けられている。また、このファン８４は、図示されない固定ホルダによってバッテリホルダ７０の内部に固定されている。
【００７５】
尚、、上記排気口８２は、例えば断面が円形状に形成されているもので、複数個のスリット状のものが形成されるものであっても良い。
【００７６】
また、バッテリホルダ７０側の吸気口８１の近傍には、ゴムパッキン８５が配されている。
【００７７】
更に、バッテリホルダ７０内の電池収納室７５とカメラボディ１０内の電池室３５は、電池室挿入部３６内に配された信号線８７、フレキシブル基板８８や、回路基板等を介して、電極接点部により接続されている。
【００７８】
このように、バッテリホルダ７０がカメラボディ１０に装着された状態に於いては、ファン８４が駆動されることにより、図４（ａ）に矢印で示されるように、カメラボディ１０の上部に設けられた空気吸入口２４から吸気された空気が送風ダクト２１を通って可動撮像ユニット１１に導かれる。そして、この可動撮像ユニット１１（主に発熱素子１８）及びその周辺の熱せられた空気が、送風ダクト２２から排気口２６、そしてバッテリホルダ７０内の吸気口８１から送風ダクト８０を通り、ファン８４によって強制的に排気口８２より排気される。このようにして、可動撮像ユニット１１及びその周辺の熱せられた空気が排出されることにより、可動撮像ユニット１１が冷却されることになる。
【００７９】
次に、図５を参照して、第１の実施形態による電子カメラシステムの主に電気的な構成について説明する。
【００８０】
第１の実施形態による電子カメラシステムは、互いに着脱可能に接続されるカメラボディ１０と、交換レンズ９０と、バッテリホルダ７０とで構成される。
【００８１】
交換レンズ９０は、そのマウント部９１がカメラボディ１０のマウント部４８に装着されることにより、カメラボディ１０に固定される。そして、交換レンズ９０は、焦点を調整するための焦点レンズ９３と、入射光量を制限する絞り９４と、入射光の光軸を変更する撮影レンズ９５と、を少なくとも有する光学系を備えている。
【００８２】
また、交換レンズ９０は、焦点レンズ９３を光軸方向に変動させて焦点調整を行う焦点調整機構９７と、図示されないステッピングモータにより絞り９４を駆動する絞り駆動機構９８と、焦点調整機構９３と絞り駆動機構９８とを駆動するためのアクチュエータ駆動回路９９と、カメラボディ１０からの指示に応じて交換レンズ９０の光学系の制御を行うレンズ制御コンピュータ１００と、を備えている。このレンズ制御コンピュータ１００は、カメラボディ１０からの指示に応じてアクチュエータ駆動回路９９を駆動して、焦点調整機構９７や絞り９４を動作させるものである。
【００８３】
一方、カメラボディ１０は、交換レンズ９０からの入射光の光路を切り替えるクイックリターンミラー５１及びサブミラー５２と、上記クイックリターンミラー５１からの反射光を接眼レンズ１１２に送るペンタプリズム１１１と、接眼レンズ１１２と、撮像素子１２への露光を制御するシャッタ５７と、を有する光学系と、上記ペンタプリズム１１１近傍に設けられたホトダイオード１１３と、を備えている。
【００８４】
カメラボディ１０は、シャッタ５７及びローパスフィルタ１４を介して露光される入射光が結像して得る被写体の画像を電気信号に変換する撮像素子１２と、撮像素子１２で得た電気信号からデジタル信号を生成する撮像素子駆動回路１２２と、撮像素子駆動回路１２２で生成したデジタル信号から画像データを生成すると共に、カメラシステム全体を制御するシステムコントローラ１２０とを備えている。
【００８５】
また、カメラボディ１０は、クイックリターンミラー５１を駆動するためのミラー駆動機構１１７と、シャッタ５７の開閉を行うシャッタチャージ機構１１８と、撮像素子１２を入射光の光軸に対して垂直な平面上で変位させる防振機構１２６と、ミラー駆動機構１１７とシャッタチャージ機構１１８とを駆動するアクチュエータ駆動回路１１９と、カメラボディ１０の振動（手振れ）を検出するブレ検出センサ１２８と、被写体までの距離を測定するＡＦセンサ５５と、上記ホトダイオード１１３で受光された光束に基づいて測光処理するための測光回路１１４と、を備えている。
【００８６】
尚、撮像素子１２の周辺の温度を測定するために、撮像素子１２の近傍には、温度センサ１２３及び温度検出回路１２４が設けられている。
【００８７】
更に、カメラボディ１０は、撮像素子１２及び撮像素子駆動回路１２２を介して得られる被写体の像や電子カメラシステムの状態等を表示する液晶モニタ４５と、バッテリホルダ７０がカメラボディ１０に装着されたことを検出するための検出スイッチ１２９と、電子カメラシステムの状態を設定するための各種スイッチ群で構成されるカメラ操作スイッチ１３１と、システムコントローラ１２０で生成した画像データを記録する記録メディア１３３と、システムコントローラ１２０内で動作するプログラムが使用するデータ等を記憶するＳＤＲＡＭ１３４と、システムコントローラ１２０内で動作するプログラムや電子カメラシステムの状態等のパラメータを記憶するＦｌａｓｈＲｏｍ１３５と、を備えている。
【００８８】
加えて、カメラボディ１０は、電池パック（図１（ａ）に示される電池３７に相当）３から供給される電源を、カメラボディ１０内の各回路ユニットの電源ラインに供給するためのＤＣ／ＤＣコンバータ１３７を備えている。
【００８９】
尚、１３９、１４０、１４１は、それぞれバッテリホルダ７０と電気的に接続するための接点端子である。
【００９０】
上記カメラ操作スイッチ１３１は、撮影動作を開始させる２段押しのレリーズスイッチ（ＳＷ）（撮影準備動作開始指示を行う１ｓｔレリーズＳＷ、撮影動作開始指示を行う２ｎｄレリーズＳＷ）１３１ａ、電子カメラシステムの動作状態を設定するモード設定スイッチ（ＳＷ）１３１ｂ、被写体像を連続的に撮像して液晶モニタ４５等に表示する、いわゆるライブビュー表示を行うためのライブビュースイッチ（ＳＷ）１３１ｃ、を少なくとも備えている。尚、モード設定ＳＷ１３１ｂは、タッチセンサ機能付き液晶モニタ（図示せず）を使用して実現しても良い。
【００９１】
また、交換レンズ９０とカメラボディ１０とは、上述したように、交換レンズ９０側のマウント部９１とカメラボディ１０側のマウント部４８とで着脱可能に接続され、交換レンズ９０が備える光学系とカメラボディ１０が備える光学系とが連結される。
【００９２】
更に、交換レンズ９０が備えるレンズ側通信ラインとボディ側通信ラインとは、マウント部９１及びマウント部４８を介して接続され、レンズ制御コンピュータ１００とシステムコントローラ１２０とが通信可能となっている。
【００９３】
バッテリホルダ７０は、図示されないモータを有したファン８４と、複数、この場合２つの電池パック（図４（ａ）に示される電池７６、７６に相当））７６、７６と、上述した縦位置での撮影用のシャッタ釦やモード切り替えダイヤル等を少なくとも有する操作スイッチ（ＳＷ）１５０を備えている。また、１５１、１５２、１５３は、バッテリホルダ７０内の接点端子であり、それぞれカメラボディ１０内の接点端子１３９、１４０、１４１と電気的に接続が可能である。
【００９４】
尚、カメラボディ１０内の電池パック３７と、バッテリホルダ７０内の電池パック７６、７６は、両者が同時に使用可能なものではない。何故ならば、バッテリホルダ７０が装着されている場合は、カメラボディ１０内の電池室３５にバッテリホルダ７０の電池室挿入部３６が挿入されているため、電池パック３７は使用することができないからである。したがって、カメラボディ１０内の電池パック３７と、バッテリホルダ７０内の電池パック７６、７６は、何れか一方のみが使用されるものとなる。
【００９５】
このような構成に於いて、システムコントローラ１２０は、カメラ操作スイッチ１３１からの出力に応じてアクチュエータ駆動回路１１９を駆動して、ミラー駆動機構１１７及びシャッタチャージ機構１１８を動作させる。
【００９６】
また、システムコントローラ１２０は、ブレ検出センサ１２８で検出された手振れ量を算出し、当該手振れ量を補正するように防振機構１２６を駆動させて、可動撮像ユニット１１内の撮像素子１２の位置を移動させる。その結果、撮像素子１２上に結像される像が手振れにより劣化することを防止することができる。
【００９７】
また、システムコントローラ１２０は、ＡＦセンサ５５０からの出力に応じて焦点調整量を算出し、交換レンズ９０（レンズ制御コンピュータ１００）に対して指示を行う。また、測光回路１１４からの出力に応じて絞り量を算出し、交換レンズ９０（レンズ制御コンピュータ１００）に対して指示を行う。
【００９８】
次に、図６のフローチャートを参照して、本実施形態に於ける電子カメラシステムの主にライブビュー動作について説明する。
【００９９】
先ず、図示されないパワースイッチがオンされると、ステップＳ１にて、システムの初期化動作が行われる。次いで、ステップＳ２に於いて、ライブビュースイッチ１３１ｃが操作されたか否かが判定される。ここで、ライブビュースイッチ１３１ｃが操作されたならばステップＳ３に移行し、操作されていなければ後述するステップＳ８へ移行する。
【０１００】
ステップＳ３では、現在設定されているファインダモードが、接眼レンズ１１２を介して視認する光学ファインダモードであるか、液晶モニタ４５で視認するライブビューモードであるかが判定される。光学ファインダモードである場合は、ステップＳ４に移行して、ファインダモードがライブビューモードに設定される。すると、続くステップＳ５にて、クイックリターンミラー５１が、図５に示されるダウン（ＤＯＷＮ）位置から図示されないアップ（ＵＰ）位置へ移動される。尚、サブミラー５１はクイックリターンミラー５１がアップ位置に移動される際に折りたたまれて、クイックリターンミラー５１と共にアップ位置に移動される。これにより、撮影光路内からクイックリターンミラー５１及びサブミラー５２が退避され、ライブビュー動作が開始される。この後、上記ステップＳ２へ移行する。
【０１０１】
一方、上記ステップＳ３にて設定されているファインダモードがライブビューモードである場合は、ステップＳ６に移行して、現在のライブビューモードが光学ファインダモードに切り替えられて設定される。次いで、ステップＳ７にて、クイックリターンミラー５１が、上述したアップ（ＵＰ）位置からダウン（ＤＯＷＮ）位置へ移動され、ライブビュー動作が停止される。この後、上記ステップＳ２へ移行する。
【０１０２】
ステップＳ８では、温度センサ１２３によって検出された可動撮像ユニット１１の温度が、予め設定された所定値に到達したか否かが判定される。上記所定値は、例えば６０℃〜７０℃の中から予め設定された温度である。ここで、所定値に到達していなければステップＳ９へ移行し、到達していれば後述するステップＳ１２へ移行する。
【０１０３】
ステップＳ９では、レリーズスイッチ１３１ａの状態が判定される。ここで、レリーズスイッチ１３１ａが操作されたならば、ステップＳ１０に移行して撮影準備動作が行われる。これの撮影準備動作とは、測光回路１１４やＡＦセンサ５５によるＡＥ、ＡＦの処理動作等である。これらの準備動作が実行されると、続くステップＳ１１にて撮影動作が行われる。その後、上記ステップＳ２へ移行する。
【０１０４】
一方、温度センサ１２３で検出された温度が所定値に到達したならば、ステップＳ１２に移行して、現在のファインダモードがライブビューモードであるか否かが判定される。ここで、設定されているファインダモードがライブビューモードである場合は、ステップＳ１３に移行して、現在のライブビューモードが光学ファインダモードに設定される。これは、ライブビューモードによって可動撮像ユニット１１の温度が上昇がしたため、撮像素子１２の動作を停止させて温度上昇を防止させるためである。次いで、ステップＳ１４にて、クイックリターンミラー５１が、アップ（ＵＰ）位置からダウン（ＤＯＷＮ）位置へ移動され、ライブビュー動作が停止される。
【０１０５】
尚、上記ステップＳ１２に於いて、現在のファインダモードが光学ファインダモードである場合は、上記ステップＳ１３及びＳ１４がスキップされてステップＳ１５へ移行する。
【０１０６】
ステップＳ１５では、使用中の電子カメラシステムに、バッテリホルダ７０が装着されているか否かが判定される。ここで、バッテリホルダ７０が装着されている場合は、ステップＳ１６に移行して、図示されないモータによってファン８４の駆動が開始され、強制的な冷却が開始される。また、バッテリホルダ７０が装着されていない場合は、ステップＳ１６がスキップされてステップＳ１７へ移行する。この場合は、送風ダクト２１及び２２を流れる空気による冷却のみとなる。
【０１０７】
そして、ステップＳ１７にて、温度センサ１２３で検出された温度が、上記所定値−Δｔより下がったか否かが判定される。ここで、図７に示されるように、Δｔはヒステリシス分を表している。温度の判定値にヒステリシスを設けないとファン８４のモータは、所定値（温度）の付近でオン（ＯＮ）、オフ（ＯＦＦ）を繰り返して動作が不安定になる。そこで、これを防止するためにΔｔが設けられている。
【０１０８】
したがって、検出された温度が上記所定値−Δｔより下がるまで、冷却状態が維持される。
【０１０９】
そして、ステップＳ１７にて、温度センサ１２３で検出された温度が、上記所定値−Δｔより下がったならば、ステップＳ１８に於いて、バッテリホルダ７０が装着されているか否かが判定される。ここで、バッテリホルダ７０が装着されていない場合は、上記ステップＳ２へ移行する。一方、バッテリホルダ７０が装着されている場合は、ステップＳ１９に移行してファン８４の駆動が停止される。これにより、強制的な冷却が終了して、撮像素子１２が使用可能な状態になる。その後、上記ステップＳ２へ移行する。
【０１１０】
上記ステップＳ９に於いて、レリーズスイッチ１３１ａが操作されない場合は、ステップＳ２０へ移行して、図示されないパワースイッチの状態が判定される。ここで、パワースイッチがオンのままであれば、上記ステップＳ２へ移行して、以降の処理動作が繰り返される。一方、パワースイッチがオフにされたならば、ステップＳ２１へ移行してシステムの停止動作処理が行われ、本シーケンスが終了する。
【０１１１】
このように、第１の実施形態にれば、カメラボディ内にファンを配置していないのでカメラを大型化することがなく、バッテリホルダ内にファンが内蔵されているので、電池容量は通常より多く、電力の消費を気にする必要がない。
【０１１２】
したがって、長時間ライブビューを使用する場合等には、このバッテリホルダを装着することで撮像素子を効果的に冷却することができ、ファンの作動に伴う電力の消費も気にすることなく撮影することができる。‘
また、撮像素子シフト方式のブレ軽減装置にも使用できるシステムである。
【０１１３】
（第２の実施形態）
次に、本発明の第２の実施形態について説明する。
【０１１４】
図８乃至図１１は本発明の第２の実施形態を示すもので、図８（ａ）は本発明の第２の実施形態による電子カメラシステムに於いて、交換レンズを外した状態のカメラボディを前面側から見たもので、光軸に対し垂直面で切断して示した図、（ｂ）は（ａ）のＣ−Ｃ′線に沿った断面図、図９は図８の電子カメラシステムのカメラボディにバッテリホルダを装着した状態で前面側から見た外観図、図１０は図９の電子カメラシステムをカメラ上面側から見たもので、光軸を含む水平面で切断して示した断面図、図１１（ａ）は図９の状態の電子カメラシステムをカメラ前面側から見たもので、光軸に対し垂直面で切断して示した断面図、（ｂ）は（ａ）のＤ−Ｄ′線に沿った断面図である。
【０１１５】
本第１の実施形態の電子カメラシステムは、一例としてレンズ交換可能な一眼レフレックスカメラに適用された例として説明する。
【０１１６】
尚、以下に述べる第２の実施形態に於いて、電子カメラシステムの基本的な構成及び動作については、上述した第１の実施形態と同じであるので、説明の重複を避けるため、同一の部分には同一の参照番号を付して、その図示及び説明を省略し、異なる部分についてのみ説明する。
【０１１７】
カメラボディ１６０内の背面側の略中央部で光軸上となる位置には、撮像素子１２と、放熱板（基準板）１３と、ローパスフィルタ１４と、ホルダ部材１５と、撮像素子１２の脚部（ピン）及び発熱素子１８が装着された回路基板１７とを有して構成される可動撮像ユニット１１が配置されている。
【０１１８】
本カメラボディ１６０に於いて、上記可動撮像ユニット１１の左右方向には、送風ダクト１６１及び１６２が配設されている。送風ダクト１６１の一端部１６１ａは、可動撮像ユニット１１に近接して配置されており、他端部１６１ｂはカメラボディ１０の外表面に設けられた空気吸入口２４に接続されている。また、この送風ダクト２１の他端部２１ｂには、エアフィルタ２５が設けられている。
【０１１９】
尚、送風ダクト１６１の一端部１６１ａと送風ダクト１６２の一端部１６２ａは、例えば、その開口部分の長手方向の長さが、少なくとも撮像素子１２の長手方向と直交する方向の長さよりも長く形成されている。また、上記空気吸入口２４及び排気口２６は、例えば断面が円形状に形成されている。更に、空気吸入口２４は、複数個のスリット状のものが形成されるものであっても良い。
【０１２０】
上記送風ダクト１６１の一端部１６１ａと送風ダクト１６２の一端部１６２ａは、カメラボディ１６０の左右方向に於いては、可動撮像ユニット１１を挟んで略中央位置に形成されている。
【０１２１】
そして、後述するバッテリホルダ１７０の未装着時には、図８（ａ）に於いてカメラボディ１６０内の左側部に設けられた電池室３５内には、電池３７が装填される。
【０１２２】
バッテリホルダ１７０未装着の状態では、可動撮像ユニット１１内で発せられた熱は、送風ダクト１６１を通って空気吸入口２４より排気される。
【０１２３】
また、図１０に示されるように、カメラボディ１６０の前面側の略中央部には、交換レンズを装着するためのマウント部１６５が設けられている。そして、このマウント部１６５の中央に形成された開口１６６より、被写体光が導かれる。
【０１２４】
一方、図９に示されるように、カメラボディ１６０の下部に装着されるバッテリホルダ１７０には、カメラボディ１０の底面部と相対する面で、上記三脚用ネジ穴３２と相対する位置に三脚ネジ７１が設けられている。また、図１１（ａ）に示されるように、バッテリホルダ１７０側で、カメラボディ１６０の電池室３５の下部に設けられた位置決め部６３と、排気口２６の近傍に設けられた位置決め部６４と対応する位置に、位置決め突起７２と、位置決めピン７３が形成されている。位置決め突起７２は、電池室挿入部３６の根本近傍に設けられている。また、位置決めピン７３は、バッテリホルダ１７０のカメラボディ１６０と相対する位置に形成されている。これら位置決め部６３と位置決め突起７２、位置決め部６４と位置決めピン７３、そして三脚用ネジ穴３２と三脚ネジ７１が螺合することにより、カメラボディ１６０とバッテリホルダ１７０が固定される。
【０１２５】
更に、バッテリホルダ１７０内の電池室挿入部１７１内には、電池収納室７５とカメラボディ１０内の電池室３５とを接続するための信号線８７、フレキシブル基板８８や、回路基板等をが配されていると共に、以下に述べる送風ダクト１７２が設けられている。
【０１２６】
この送風ダクト１７２は、カメラボディ１６０内の送風ダクト１６２と連接するものである。そして、この送風ダクト１７２は、その一端部１７２ａが、上記送風ダクト１６２の排気口１６３と相対する位置に設けられた吸気口１７４に接続され、他端部１７２ｂが、バッテリホルダ１７０の側面に設けられた排気口１７５に接続されている。上記吸気口１７４は、排気口１６３から排出される空気がバッテリホルダ１７０内に漏れないようにするため、排気口１６３と略同一形状の断面を有するように構成されている。
【０１２７】
また、上記排気口１７５の近傍には、外部からの粉塵等の侵入を防止するためのエアフィルタ１７６が設けられている。更に、送風ダクト１７２内で、吸気口１７４の近傍には、送風ダクト１７２内の空気を排気口１７５より強制的に排出するためのファン１７３が設けられている。また、このファン１７３は、図示されない固定ホルダによってバッテリホルダ１７０の内部に固定されている。
【０１２８】
尚、上記排気口１７５は、例えば断面が円形状に形成されているもので、複数個のスリット状のものが形成されるものであっても良い。
【０１２９】
また、バッテリホルダ１７０側の吸気口１７４の近傍には、ゴムパッキン１７７が配されている。
【０１３０】
このように、バッテリホルダ１７０がカメラボディ１６０に装着された状態に於いては、ファン１７３が駆動されることにより、図１１（ａ）に矢印で示されるように、カメラボディ１６０の上部に設けられた空気吸入口２４から吸気された空気が送風ダクト１６１を通って可動撮像ユニット１１に導かれる。そして、この可動撮像ユニット１１（主に発熱素子１８）及びその周辺の熱せられた空気が、送風ダクト１６２から排気口１６３、そしてバッテリホルダ１７０内の吸気口１７４から送風ダクト１７２を通り、ファン１７３によって強制的に排気口１７５より排気される。
【０１３１】
このように、第２の実施形態によっても、上述した第１の実施形態と同様に、カメラボディ内にファンを配置していないのでカメラを大型化することがなく、バッテリホルダ内にファンが内蔵されているので、電池容量は通常より多く、電力の消費を気にする必要がない。
【０１３２】
以上、本発明の実施形態について説明したが、本発明は上述した実施形態に限定されるものではなく、本発明の要旨を逸脱しない範囲で種々の変形実施が可能であるのは勿論である。
【０１３３】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１３４】
【図１】本発明の第１の実施形態を示すもので、（ａ）は本発明の第１の実施形態による電子カメラシステムに於いて、交換レンズを外した状態のカメラボディを前面側から見たもので、光軸に対し垂直面で切断して示した図、（ｂ）は（ａ）のＡ−Ａ′線に沿った断面図である。
【図２】本発明の第１の実施形態を示すもので、図１の電子カメラシステムのカメラボディにバッテリホルダを装着した状態で前面側から見た外観図である。
【図３】本発明の第１の実施形態を示すもので、図２の電子カメラシステムをカメラ上面側から見たもので、光軸を含む水平面で切断して示した断面図である。
【図４】本発明の第１の実施形態を示すもので、（ａ）は図２の状態の電子カメラシステムをカメラ前面側から見たもので、光軸に対し垂直面で切断して示した断面図、（ｂ）は（ａ）のＢ−Ｂ′線に沿った断面図である。
【図５】本発明の第１の実施形態による電子カメラシステムの主に電気的な構成を概略的に示すブロック構成図である。
【図６】本発明の第１の実施形態による電子カメラシステムの動作を説明するためのフローチャートである。
【図７】ファンの動作を説明するためのグラフである。
【図８】本発明の第２の実施形態を示すもので、（ａ）は本発明の第２の実施形態による電子カメラシステムに於いて、交換レンズを外した状態のカメラボディを前面側から見たもので、光軸に対し垂直面で切断して示した図、（ｂ）は（ａ）のＣ−Ｃ′線に沿った断面図である。
【図９】本発明の第２の実施形態を示すもので、図８の電子カメラシステムのカメラボディにバッテリホルダを装着した状態で前面側から見た外観図である。
【図１０】本発明の第２の実施形態を示すもので、図９の電子カメラシステムをカメラ上面側から見たもので、光軸を含む水平面で切断して示した断面図である。
【図１１】本発明の第２の実施形態を示すもので、（ａ）は図９の状態の電子カメラシステムをカメラ前面側から見たもので、光軸に対し垂直面で切断して示した断面図、（ｂ）は（ａ）のＤ−Ｄ′線に沿った断面図である。
【符号の説明】
【０１３５】
１０…  カメラボディ、１１…可動撮像ユニット、１２…撮像素子、１３…放熱板（基準板）、１４…ローパスフィルタ、１５…ホルダ部材、１７、４０…回路基板、１８…発熱素子、２１、２２、８０…送風ダクト、２４…空気吸入口、２５、８３…エアフィルタ、２６、８２…排気口、２７…スライドカバー、３１…ファインダ光学系、３２…三脚用ネジ穴、３３…ホットシュー、３５…電池室、３６…電池室挿入部、３７、７６…電池、３８…充電用コンデンサ、４１…メモリカード、４２…カバー、４５…液晶モニタ、４６…表示用窓、４８…マウント部、５０…開口、５１…クイックリターンミラー、５２…サブミラー、５３…アイピース、５５…ＡＦセンサ、５７…フォーカルプレーンシャッタ、６３、６４…位置決め部、７０…バッテリホルダ、７１…三脚ネジ、７２…位置決め突起、７３…位置決めピン、７５…電池収納室、８１…吸気口、８４…ファン、８５…ゴムパッキン、９０…交換レンズ、１００…レンズ制御コンピュータ、１２０…システムコントローラ、１２２…撮像素子駆動回路、１２３…温度センサ、１２４…温度検出回路、１２６…防振機構、１２８…ブレ検出センサ。
【図１】
2009071516.tif 000003
【図２】
2009071516.tif 000004
【図３】
2009071516.tif 000005
【図４】
2009071516.tif 000006
【図５】
2009071516.tif 000007
【図６】
2009071516.tif 000008
【図７】
2009071516.tif 000009
【図８】
2009071516.tif 000010
【図９】
2009071516.tif 000011
【図１０】
2009071516.tif 000012
【図１１】
2009071516.tif 000013